(57)【要約】【課題】ユーザが設定値を初期値から変更した後に認証が行われた場合でも、ユーザが認証前に変更した設定値を保持する。【解決手段】情報処理装置は、操作者を認証する認証手段と、１または複数の設定項目の設定値の中に、初期値から変更された設定値があるか否かを検出する検出手段と、初期値から変更された設定値があると前記検出手段により検出された場合に、１または複数の設定項目の設定値を、前記認証手段により認証された操作者に対して登録されている設定値に変更しないように制御する制御手段と、を有する。【選択図】図２
2018032960.tif 000002
【特許請求の範囲】
【請求項１】
操作者を認証する認証手段と、
１または複数の設定項目の設定値の中に、初期値から変更された設定値があるか否かを検出する検出手段と、
初期値から変更された設定値があると前記検出手段により検出された場合に、１または複数の設定項目の設定値を、前記認証手段により認証された操作者に対して登録されている設定値に変更しないように制御する制御手段と、
を有する情報処理装置。
【請求項２】
前記制御手段は、初期値から変更された設定値があると前記検出手段により検出された場合に、前記認証手段により認証された操作者に対して、認証が行われた状態でないと設定値を変更できない設定項目の設定値を変更する権限を与えるように制御する請求項１記載の情報処理装置。
【請求項３】
前記制御手段は、初期値から変更された設定値があると前記検出手段により検出された場合に、初期値から変更されていない設定値を、前記認証手段により認証された操作者に対して登録されている設定値に変更し、初期値から変更された設定値を、前記認証手段により認証された操作者に対して登録されている設定値に変更しないように制御する請求項１記載の情報処理装置。
【請求項４】
操作者を認証する認証手段と、
１または複数の設定項目の設定値の中に、初期値から変更された設定値があるか否かを検出する検出手段と、
初期値から変更された設定値があると前記検出手段により検出された場合に、１または複数の設定項目の設定値を、前記認証手段により認証された操作者に対して登録されている設定値に変更する第１のモードと、前記認証手段により認証された操作者に対して、認証が行われた状態でないと設定値を変更できない設定項目の設定値を変更する権限を与える第２のモードと、初期値から変更されていない設定値を、前記認証手段により認証された操作者に対して登録されている設定値に変更し、初期値から変更された設定値を、前記認証手段により認証された操作者に対して登録されている設定値に変更しない第３のモードと、からいずれか１つを選択するモード選択手段と、
を有する情報処理装置。
【請求項５】
操作者を認証する認証手段と、
１または複数の設定項目の設定値の中に、初期値から変更された設定値があるか否かを検出する検出手段と、
初期値から変更された設定値があると前記検出手段により検出された場合に、１または複数の設定項目の設定値を、前記認証手段により認証された操作者に対して登録されている設定値に変更しないように制御する制御手段と、
１または複数の設定項目の設定値を用いて記録媒体上に画像を出力する画像出力手段と、
を有する画像形成装置。
【請求項６】
操作者を認証するステップと、
１または複数の設定項目の設定値の中に、初期値から変更された設定値があるか否かを検出するステップと、
初期値から変更された設定値があると検出された場合に、１または複数の設定項目の設定値を、認証された操作者に対して登録されている設定値に変更しないように制御するステップと、
をコンピュータに実行させるためのプログラム。
【発明の詳細な説明】
【技術分野】
【０００１】
本発明は、情報処理装置、画像形成装置及びプログラムに関する。
【背景技術】
【０００２】
特許文献１には、ドキュメント処理装置のユーザ・インターフェイスを介して、複数のドキュメント処理選択肢を含む、前記ドキュメント処理装置で利用可能な操作の第１のレベルを表わすデータを示して、前記複数のドキュメント処理選択肢に含まれる前記第１のレベルの選択の入力をユーザに促す手段と、前記ユーザ・インターフェイスを介して、前記ユーザによって選択された第１のレベルの選択データを受け取る手段と、前記インターフェイスを介して、前記ドキュメント処理装置で利用可能な、前記ユーザによって選択された利用可能な操作のレベルに対応する下位レベルのドキュメント選択肢を示して、前記ユーザに入力を促す手段と、前記インターフェイスを介して、前記ドキュメント処理装置のドキュメント処理機能を表わし、対応する選択肢の前のレベルのうちの１つの選択肢に対応している機能データを受け取る手段と、前記機能データを保存する記憶手段と、前記ユーザからログイン・データを受け取る手段と、前記機能データおよび前記ログイン・データに対応する、カスタム化されたドキュメント処理操作制御の表示を生成する手段と、を備えた構成が開示されている。
【０００３】
特許文献２には、装置と接続された複合機であって、ユーザインタフェース仕様データを受信する受信手段と、前記ユーザインタフェース仕様データを格納する格納手段と、前記受信したユーザインタフェース仕様データに基づいてユーザインタフェースを表示する表示手段とを有し、前記ユーザインタフェース仕様データにはユーザインタフェースの表示要素と複合機により実行される動作とが規定され、前記表示手段は前記受信したユーザインタフェース仕様データの表示要素に基づいてユーザインタフェースを表示する構成が開示されている。
【０００４】
特許文献３には、ユーザ識別情報の入力を受け付けると、対応する個人情報を取得し、取得した前記個人情報を用いて、利用環境をカスタマイズする画像形成装置であって、個人情報を管理しているサーバ装置から、前記ユーザ識別情報に対応する第１の個人情報を取得可能か否か判断する判断手段と、第１の個人情報が取得可能である場合には、前記第１の個人情報を取得するサーバ情報取得手段と、個人情報を記録している可搬型の記録媒体から、前記ユーザ識別情報に対応する第２の個人情報を読み取る媒体情報読取手段と、前記第１の個人情報を取得しない場合には、前記第２の個人情報を用いて利用環境をカスタマイズし、前記第１の個人情報及び前記第２の個人情報の両方を取得した場合には、何れか一方の新しい個人情報を用いて利用環境をカスタマイズする制御手段と、を備えた構成が開示されている。
【先行技術文献】
【特許文献】
【０００５】
【特許文献１】特開２００８−４７１０６号公報
【特許文献２】特開２００９−１７７８２８号公報
【特許文献３】特開２００９−３０３１４１号公報
【発明の概要】
【発明が解決しようとする課題】
【０００６】
例えば複合機のコピー画面上において、カラーモード、用紙選択、両面片面選択等の各種機能を設定する際に、ユーザ毎に設定値をカスタマイズして保存し、ユーザの認証が完了した時点でその設定値を呼び出すことで、操作時間の削減が行われている。
【０００７】
しかし、認証が行われていない一般ユーザの状態で各種機能の設定値を変更している最中に、認証をしていないことに気付いて認証する場合がある。この場合、各種機能の設定値を変更していたにもかかわらず認証したユーザが保存している設定値に変更されてしまい、ユーザが意図したものとならない場合がある。また、各種機能の設定値の変更について制限されている場合があり、設定値を変更している途中に認証が必要となった場合に認証すると、認証前に変更していた各種機能の設定内容に関係なく、認証したユーザが保存している設定値に変更されてしまい、ユーザが意図したものとならない場合がある。これらの場合、一般ユーザで設定値を変更したものを再度変更することが必要となり、作業が重複したものとなってしまう。
【０００８】
本発明の目的は、ユーザが設定値を初期値から変更した後に認証が行われた場合でも、ユーザが認証前に変更した設定値を保持することが可能な情報処理装置、画像形成装置およびプログラムを提供することである。
【課題を解決するための手段】
【０００９】
［情報処理装置］
請求項１に係る本発明は、操作者を認証する認証手段と、１または複数の設定項目の設定値の中に、初期値から変更された設定値があるか否かを検出する検出手段と、初期値から変更された設定値があると前記検出手段により検出された場合に、１または複数の設定項目の設定値を、前記認証手段により認証された操作者に対して登録されている設定値に変更しないように制御する制御手段と、を有する情報処理装置である。
【００１０】
請求項２に係る本発明は、前記制御手段は、初期値から変更された設定値があると前記検出手段により検出された場合に、前記認証手段により認証された操作者に対して、認証が行われた状態でないと設定値を変更できない設定項目の設定値を変更する権限を与えるように制御する請求項１記載の情報処理装置である。
【００１１】
請求項３に係る本発明は、前記制御手段は、初期値から変更された設定値があると前記検出手段により検出された場合に、初期値から変更されていない設定値を、前記認証手段により認証された操作者に対して登録されている設定値に変更し、初期値から変更された設定値を、前記認証手段により認証された操作者に対して登録されている設定値に変更しないように制御する請求項１記載の情報処理装置である。
【００１２】
請求項４に係る本発明は、操作者を認証する認証手段と、１または複数の設定項目の設定値の中に、初期値から変更された設定値があるか否かを検出する検出手段と、初期値から変更された設定値があると前記検出手段により検出された場合に、１または複数の設定項目の設定値を、前記認証手段により認証された操作者に対して登録されている設定値に変更する第１のモードと、前記認証手段により認証された操作者に対して、認証が行われた状態でないと設定値を変更できない設定項目の設定値を変更する権限を与える第２のモードと、初期値から変更されていない設定値を、前記認証手段により認証された操作者に対して登録されている設定値に変更し、初期値から変更された設定値を、前記認証手段により認証された操作者に対して登録されている設定値に変更しない第３のモードと、からいずれか１つを選択するモード選択手段と、を有する情報処理装置である。
【００１３】
［画像形成装置］
請求項５に係る本発明は、操作者を認証する認証手段と、１または複数の設定項目の設定値の中に、初期値から変更された設定値があるか否かを検出する検出手段と、初期値から変更された設定値があると前記検出手段により検出された場合に、１または複数の設定項目の設定値を、前記認証手段により認証された操作者に対して登録されている設定値に変更しないように制御する制御手段と、１または複数の設定項目の設定値を用いて記録媒体上に画像を出力する画像出力手段と、を有する画像形成装置である。
【００１４】
[プログラム]
請求項６に係る本発明は、操作者を認証するステップと、１または複数の設定項目の設定値の中に、初期値から変更された設定値があるか否かを検出するステップと、初期値から変更された設定値があると検出された場合に、１または複数の設定項目の設定値を、認証された操作者に対して登録されている設定値に変更しないように制御するステップと、をコンピュータに実行させるためのプログラムである。
【発明の効果】
【００１５】
請求項１に係る本発明によれば、ユーザが設定値を初期値から変更した後に認証が行われた場合でも、ユーザが認証前に変更した設定値を保持することが可能な情報処理装置を提供することができる。
【００１６】
請求項２に係る本発明によれば、請求項１に係る本発明により得られる効果に加えて、設定値の再度の変更をせずに、重複作業を抑制することが可能な情報処理装置を提供することができる。
【００１７】
請求項３に係る本発明によれば、請求項１に係る本発明により得られる効果に加えて、設定値の再度の変更をせずに、カスタマイズ情報を用いることが可能な情報処理を提供することができる。
【００１８】
請求項４に係る本発明によれば、各種設定項目の設定値をカスタマイズして操作時間の削減を行いつつ、設定値を変更後に認証した場合であっても、認証したユーザの意図した設定値を保持することが可能な情報処理装置を提供することができる。
【００１９】
請求項５に係る本発明によれば、ユーザが設定値を初期値から変更した後に認証が行われた場合でも、ユーザが認証前に変更した設定値を保持することが可能な画像形成装置を提供することができる。
【００２０】
請求項６に係る本発明によれば、ユーザが設定値を初期値から変更した後に認証が行われた場合でも、ユーザが認証前に変更した設定値を保持することが可能なプログラムを提供することができる。
【図面の簡単な説明】
【００２１】
【図１】本発明の一実施形態における画像形成装置１０のハードウェア構成を示すブロック図である。
【図２】本発明の一実施形態における画像形成装置１０の機能構成を示すブロック図である。
【図３】カスタマイズ情報格納部２６に格納されるカスタマイズ情報の一例を示す図である。
【図４】操作パネル３４上に表示されるメニュー画面例を示す図である。
【図５】操作パネル３４上に表示されるコピー画面（初期画面）の一例を示す図である。
【図６】操作パネル３４上に表示される認証画面の一例を示す図である。
【図７】操作パネル３４上に表示されるコピー画面の一例を示す図である。
【図８】本発明の一実施形態における画像形成装置１０の動作を示すフローチャートである。
【図９】本発明の一実施形態における画像形成装置１０の動作を説明する図である。
【図１０】操作パネル３４上に表示されるモード選択画面の一例を示す図である。
【図１１】モード選択（第１モード）による画像形成装置１０の動作を説明する図である。
【図１２】モード選択（第２モード）による画像形成装置１０の動作を説明する図である。
【図１３】モード選択（第３モード）による画像形成装置１０の動作を説明する図である。
【発明を実施するための形態】
【００２２】
次に、本発明の実施の形態について図面を参照して詳細に説明する。
【００２３】
本実施形態の情報処理装置の一例である画像形成装置１０のハードウェア構成を図１に示す。
【００２４】
画像形成装置１０は、図１に示されるように、ＣＰＵ１１、メモリ１２、ハードディスクドライブ（ＨＤＤ）等の記憶装置１３、ネットワークを介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２５】
プリントエンジン１７は、帯電、露光、現像、転写、定着などの工程を経て印刷用紙等の記録媒体上に画像を印刷する。
【００２６】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２７】
図２は、上記の制御プログラムが実行されることにより実現される画像形成装置１０の機能構成を示すブロック図である。図３は、カスタマイズ情報格納部２６に格納されるカスタマイズ情報の一例を示す図である。
【００２８】
本実施形態の画像形成装置１０は、図２に示されるように、表示部２１と、操作部２２と、制御部２３と、認証部２４と、検出部２５と、カスタマイズ情報格納部２６と、通信部２７と、画像出力部２８と、画像読取部２９とを備えている。
【００２９】
画像出力部２８は、印刷用紙等の記録媒体上に画像を出力する処理を実行している。また、画像読取部２９は、原稿をスキャンすることにより原稿画像を読取る処理を実行している。
【００３０】
制御部２３は、操作部２２により入力された操作情報に基づいて、画像出力部２８および画像読取部２９の動作を制御したり、各種情報を表示部２１に表示する等の各種制御を行っている。
【００３１】
なお、図２では、表示部２１と操作部２２とは別構成として示されているが、本実施形態では表示部２１と操作部２２とはタッチパネルにより一体の部品として構成されている。
【００３２】
認証部２４は、画像形成装置１０を使用しようとするユーザを、例えば、ＩＤ及びパスワードの入力、ＩＣカードによる認証方法等を用いて認証する。
【００３３】
カスタマイズ情報格納部２６は、自装置である画像形成装置１０の１または複数の機能に関する設定項目について、ユーザが予め登録しておいた設定値をカスタマイズ情報として格納している。具体的には、図３に示すように、カスタマイズ情報格納部２６は、カラーモード、用紙選択、倍率選択、濃度調整、両面片面選択等の各設定項目について、ユーザが予め登録しておいた設定値をカスタマイズ情報として格納している。
【００３４】
検出部２５は、１または複数の機能に関する設定項目の設定値の中に、初期値から変更された設定値があるか否かを検出する。
【００３５】
表示部２１は、制御部２３による制御に基づいて、図４に示すように、１または複数の機能にそれぞれ対応した絵柄図形である１または複数のアイコン３２を含むメニュー画面を操作パネル３４上に表示する。図４で示された「コピー」、「ファックス」、「スキャナー」、・・・、「ボックス操作」、「ヘルプ」等のアイコン３２を指やペン等の操作体によるタッチすることにより操作すると、それぞれの機能の設定変更を行うための画面に遷移するようになっている。
【００３６】
また、表示部２１は、メニュー画面上（メニュー画面）において「コピー」のアイコン３２が選択された場合に、図５に示すようなコピーに関する１または複数の機能に関する情報を提供するための１または複数のアイコン３６を含むコピー画面を表示する。
【００３７】
ここで、アイコンとは、表示画面上に表示され、特定のアプリケーションプログラムを起動させたり、特定の画面に遷移したりするための操作位置を示すための絵柄図形である。そして、この絵柄図形には、単にデザインされた図形だけでなく、アルファベット、ひらがな、カタカタ、漢字等の各種文字が含まれる場合もある。
【００３８】
そして、図５に示されたコピー画面上では、例えば「部数」、「倍率選択」等の二重四角枠３８に数字を入力したり、１または複数のアイコン３６上の右枠欄を操作体でタッチして、それぞれの機能に関する設定項目に対する操作を選択する。そして、コピー画面上に表示された認証ボタン４０をタッチすることにより、例えば図６に示すような認証画面が表示される。
【００３９】
認証画面では、ユーザにＩＤとパスワードの入力を促す表示がなされる。ＩＤとパスワードの入力がなされ、認証部２４により認証が行われると、検出部２５により、設定項目の設定値の中に、初期値から変更された設定値があるか否かが検出される。そして、詳細には後述するが、検出部２５により、初期値から変更された設定値があると検出された場合には、図１０のモード選択画面が表示される。また、検出部２５により、初期値から変更された設定値がないと検出された場合には、ユーザによって認証されたコピー画面では、設定項目の設定値が、初期値から、カスタマイズ情報格納部２６に格納され、認証されたユーザにより予め登録された設定値に変更されて表示される。具体的には、図７に示すように、各設定項目の設定値が認証されたユーザＡにより予め登録された設定値に変更され、初期値から「カラーモード」がフルカラーに、「用紙選択」がＡ４サイズに、「倍率選択」が自動に、「両面片面選択」が片面→両面に変更されて表示される。
【００４０】
このように、制御部２３は、ユーザが認証を行わずに未認証状態である場合には、初期値として保存された設定値を表示部２１に表示するよう制御する。そして制御部２３は、ユーザが認証を行って認証状態となった場合には、認証されたユーザにより予め登録された設定値を表示部２１に表示するよう制御する。
【００４１】
次に、本発明の一実施形態における画像形成装置１０の動作について、図８から図１３に基づいて説明する。図８は、画像形成装置１０の動作を示すフローチャートである。図９は、初期値の状態から認証が行われた場合の画像形成装置１０の動作を説明する図である。図１０は、モード選択画面を示す図である。図１１は、モード選択画面において第１モードが選択された場合の画像形成装置１０の動作を説明する図である。図１２は、モード選択画面において第２モードが選択された場合の画像形成装置１０の動作を説明する図である。図１３は、モード選択画面において第３モードが選択された場合の画像形成装置１０の動作を説明する図である。
【００４２】
ここで、設定項目１〜６は、「カラーモード」、「用紙選択」、「倍率選択」、「濃度調整」、「両面片面選択」等の画像形成装置１０の機能に関する設定項目であって、設定値としてＡ，Ｂ，Ｃを設定できるものとして説明する。また、未認証時の初期画面における各設定項目の初期値を全て「Ｂ」とし、ユーザＡのカスタマイズ情報としてカスタマイズ情報格納部２６に格納されている各設定項目の設定値を全て「Ｃ」として説明する。設定項目のうち、グレーアウトしている項目は、認証が行われた状態でないと設定値の変更ができない設定項目であって、本実施形態では、設定項目３が認証が行われた状態でないと設定値の変更ができない項目となっている。
【００４３】
まず、ステップＳ１０において、コピー画面において認証ボタン４０をタッチすることにより、図６に示すユーザ認証画面が表示される。そして、ＩＤとパスワードの入力等により、認証部２４により認証が行われる。
【００４４】
次に、ステップＳ１１において、検出部２５により、設定項目の設定値の中に、初期値から変更された設定値があるか否かが検出される。初期値から変更された設定値がないと検出部２５により検出された場合、つまり全ての設定値が初期値のままであると検出された場合にはステップＳ１２へ進み、初期値から変更された設定値があると検出部２５により検出された場合、つまり少なくとも１つの設定値が初期値から変更されている場合にはステップＳ１３へ進む。
【００４５】
次に、ステップＳ１２において、初期値であった設定値が、認証されたユーザに対応する設定値（カスタマイズ情報）に変更されて表示される。具体的には、図９に示すように、初期画面から認証ボタン４０をタッチして、認証部２４により認証が行われることにより、設定項目１〜６について、初期値である「Ｂ」からユーザ認証したユーザＡの設定値である「Ｃ」に変更されて表示される。また、設定項目３のアイコン３６がグレーアウトした状態から他の設定項目と同様に白い状態に表示され、設定値の変更が出来る状態に変更される。
【００４６】
次に、ステップＳ１３において、図１０に示すようなモード選択画面が表示される。
【００４７】
モード選択画面では、１または複数の設定項目の全ての設定値を、認証されたユーザに対して登録されている設定値に変更する「第１モード」と、認証されたユーザに対して、認証が行われた状態でないと設定値を変更できない設定項目の設定値を変更する権限を与える「第２モード」と、初期値から変更されていない設定値を、認証されたユーザに対して登録されている設定値に変更し、初期値から変更された設定値を、認証されたユーザに対して登録されている設定値に変更しない「第３モード」のアイコン４２が表示され、ユーザがいずれか１つのアイコン４２を選択するように構成されている。ユーザが「第１モード」を選択した場合にはステップＳ１４へ進み、「第２モード」を選択した場合にはステップＳ１５へ進み、「第３モード」を選択した場合にはステップＳ１６へ進む。
【００４８】
ステップＳ１４では、「第１モード」のアイコン４２の選択により、初期値から変更された設定値も含めて設定項目の設定値を全て認証されたユーザに対応する設定値（カスタマイズ情報）に変更されて表示される。具体的には、図１１に示すように、初期値である「Ｂ」から設定項目２，４，６について設定値を「Ａ」に変更した後に認証が行われても、第１モードの選択により、全ての設定項目についてユーザ認証したユーザＡの設定値である「Ｃ」に変更されて表示される。また、設定項目３のアイコン３６がグレーアウトした状態から他の設定項目と同様に白い状態に表示され、設定値の変更が出来る状態に変更される。
【００４９】
また、ステップＳ１５では、「第２モード」のアイコン４２の選択により、初期値から変更された設定値がそのまま維持されて、認証されたユーザに対して認証が行われた状態でないと設定値を変更できない設定項目の設定値を変更する権限が与えられる。具体的には、図１２に示すように、初期値である「Ｂ」から設定項目２，４，６について設定値を「Ａ」に変更した後に認証が行われても、第２モードの選択により、初期値から変更された設定値がそのまま維持され、認証が行われた状態でないと設定値の変更ができないようにされている設定項目についても設定値の変更ができるようにされる。具体的には、設定項目３は、設定値の変更ができない状態から設定値の変更ができる状態に変更され、設定項目３のアイコン３６がグレーアウトした状態から他の設定項目と同様に白い状態に表示される。
【００５０】
また、ステップＳ１６では、「第３モード」のアイコン４２の選択により、初期値から変更されていない設定値を、認証されたユーザに対して登録されている設定値に変更し、初期値から変更された設定値を、認証されたユーザに対して登録されている設定値に変更しない。具体的には、図１３に示すように、初期値である「Ｂ」から設定項目２，４，６について設定値を「Ａ」に変更した後に認証が行われても、第３モードの選択により、初期値から変更されていない設定項目１，３，５の設定値「Ｂ」を、認証されたユーザＡに対して登録されている設定値「Ｃ」に変更し、初期値から変更された設定項目２，４，６の設定値「Ａ」をそのまま維持する。また、設定項目３のアイコン３６がグレーアウトした状態から他の設定項目と同様に白い状態に表示され、設定値の変更が出来る状態に変更される。
【００５１】
そして、ステップＳ１７において、変更された設定値又は変更されていない設定値を用いて、処理が実行される。
【００５２】
なお、上記実施形態では、ＩＤ及びパスワードの入力による認証方法を用いて認証する場合を用いて説明したが、これに限らず、ＩＣカードによる認証方法等を用いて認証するようにしてもよい。
【００５３】
また、上記実施形態では、認証を行った後にモード選択を行う例を用いて説明したが、これに限らず、認証画面においてモード選択できるようにして認証とモード選択とを同時に行うようにしてもよい。
【００５４】
また、上記実施形態では、初期値から変更された設定値がある場合にモード選択する例を用いて説明したが、これに限らず、予めモード選択を行って選択されたモードにより処理を実行するようにしてもよい。
【００５５】
[変形例]
上記実施形態では、画像形成装置に対して本発明を適用した場合を用いて説明したが、本発明はこれに限定されるものではなく、スマートフォン、パーソナルコンピュータ、タブレット端末装置等の他の情報処理装置に対しても同様に本発明を適用することができるものである。
【符号の説明】
【００５６】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
【図１】
2018032960.tif 000003
【図２】
2018032960.tif 000004
【図３】
2018032960.tif 000005
【図４】
2018032960.tif 000006
【図５】
2018032960.tif 000007
【図６】
2018032960.tif 000008
【図７】
2018032960.tif 000009
【図８】
2018032960.tif 000010
【図９】
2018032960.tif 000011
【図１０】
2018032960.tif 000012
【図１１】
2018032960.tif 000013
【図１２】
2018032960.tif 000014
【図１３】
2018032960.tif 000015